(57)【要約】【課題】アダプティブアレイアンテナ方式を使用する受信装置において、軟判定誤り訂正復号の精度を向上することが可能な技術を提供する。【解決手段】受信用ウェイト処理部は、アレイアンテナでの複数の受信信号に対して複数の受信用ウェイトをそれぞれ乗算し、当該複数の受信用ウェイトがそれぞれ乗算された当該複数の受信信号を加算して希望シンボルを取得するアレイ合成処理を行う。イコライザ６６２は希望シンボルに対して等化処理を行う。振幅補正部６６３は、等化処理後の希望シンボルに対して、等化処理及びアレイ合成処理が当該希望シンボルの振幅成分に与えた影響を除去する補正を行う。軟判定部６６４は振幅補正部６６３で補正された希望シンボルに対して軟判定を行う。誤り訂正復号部６６５は軟判定部６６４での軟判定結果に基づいて誤り訂正復号を行う。【選択図】図３
2011024160.tif 000002
【特許請求の範囲】
【請求項１】
アレイアンテナと、
前記アレイアンテナの指向性を制御するための複数の受信用ウェイトを算出するウェイト算出部と、
前記アレイアンテナを構成する複数のアンテナ素子でそれぞれ受信された複数の受信信号に対して前記複数の受信用ウェイトをそれぞれ乗算し、当該複数の受信用ウェイトがそれぞれ乗算された当該複数の受信信号を加算して希望信号を取得するアレイ合成処理を行うアレイ合成処理部と、
前記希望信号に対して等化処理を行うイコライザと、
前記等化処理が行われた前記希望信号に対して、前記等化処理及び前記アレイ合成処理が当該希望信号の振幅成分に与えた影響を除去する補正を行う振幅補正部と、
前記振幅補正部で補正された前記希望信号に対して軟判定を行う軟判定部と、
前記軟判定部での軟判定結果に基づいて誤り訂正復号を行う誤り訂正復号部と
を備える、受信装置。
【請求項２】
請求項１に記載の受信装置であって、
前記イコライザ及び前記振幅補正部での処理の有効桁数は、互いに同じであり、かつ前記軟判定部での処理の有効桁数よりも大きい、受信装置。
【請求項３】
（ａ）アレイアンテナの指向性を制御するための複数の受信用ウェイトを算出する工程と、
（ｂ）前記アレイアンテナを構成する複数のアンテナ素子でそれぞれ受信された複数の受信信号に対して前記複数の受信用ウェイトをそれぞれ乗算し、当該複数の受信用ウェイトがそれぞれ乗算された当該複数の受信信号を加算して希望信号を取得するアレイ合成処理を行う工程と、
（ｃ）前記希望信号に対して等化処理を行う工程と、
（ｄ）前記等化処理が行われた前記希望信号に対して、前記等化処理及び前記アレイ合成処理が当該希望信号の振幅成分に与えた影響を除去する補正を行う工程と、
（ｅ）前記工程（ｄ）で補正された前記希望信号に対して軟判定を行う工程と、
（ｆ）前記工程（ｅ）での軟判定結果に基づいて誤り訂正復号を行う工程と
を備える、軟判定誤り訂正復号方法。
【発明の詳細な説明】
【技術分野】
【０００１】
本発明は、アダプティブアレイアンテナ方式を使用した受信装置及び軟判定誤り訂正復号方法に関する。
【背景技術】
【０００２】
従来から無線通信に関して様々な技術が提案されている。例えば特許文献１には、軟判定誤り訂正復号に関する技術が開示されている。また特許文献２には、アダプティブアレイアンテナ方式を用いた無線通信技術が開示されている。アダプティブアレイアンテナ方式を使用する受信装置では、アレイアンテナを構成する複数のアンテナ素子でそれぞれ受信された複数の受信信号を、アレイアンテナの指向性を制御するための複数の受信用ウェイトをそれぞれ乗算した上で合成することにより、アレイアンテナで受信された信号から希望信号を取り出すアレイ合成処理が行われる。また、非特許文献１には、多元接続方式としてＯＦＤＭＡ（Orthogonal Frequency Division Multiple Access）方式が使用される次世代ＰＨＳ（Personal Handyphone System）についての規格が記載されている。ＯＦＤＭＡ方式では、互いに直交する複数のサブキャリアが合成されたＯＦＤＭ（Orthogonal Frequency Division Multiplexing）信号が使用される。
【先行技術文献】
【特許文献】
【０００３】
【特許文献１】特許第３５９４８２８号公報
【特許文献２】特開２００８−４８２３６号公報
【非特許文献】
【０００４】
【非特許文献１】“OFDMA/TDMA TDD Broadband Wireless Access System(Next Generation PHS) ARIB STANDARD”、ARIB STD-T95 Version1.1、平成２０年６月６日、社団法人電波産業会
【発明の概要】
【発明が解決しようとする課題】
【０００５】
さて、受信装置においては、伝送路特性による歪みを受信信号から除去するために、一般的には、イコライザにおいて受信信号に対して等化処理が行われる。この等化処理においては、既知の受信信号に基づいて推定された伝送路特性に基づいて、受信信号の振幅成分及び位相成分が補正される。したがって、等化処理後の受信信号については、アンテナで受信された際に有していた振幅情報が失われており、伝送路特性が振幅成分に与える影響が反映されていない。よって、等化処理後の受信信号についての軟判定結果をそのまま使用して誤り訂正復号を行っても、受信状態によっては送信装置から送信されたビットデータを正確に再生することができない。
【０００６】
そこで、特許文献１の技術では、等化処理後の受信信号についての、軟判定結果である尤度を受信レベル等で補正し、補正後の尤度に基づいて誤り訂正復号を行っている。
【０００７】
しかしながら、アダプティブアレイアンテナ方式を使用する受信装置においては、上記のようなアレイ合成処理が行われることから、取得された希望信号の振幅成分は、アレイアンテナで受信された際の状態とは大きく変化している。したがって、アダプティブアレイアンテナ方式を使用する受信装置において、特許文献１の技術を単に適用したとしても、受信状態によっては正確な誤り訂正復号を行うことができない。
【０００８】
そこで、本発明は上述の点に鑑みて成されたものであり、アダプティブアレイアンテナ方式を使用する受信装置において、軟判定誤り訂正復号の精度を向上することが可能な技術を提供することを目的とする。
【課題を解決するための手段】
【０００９】
上記課題を解決するため、本発明に係る受信装置は、アレイアンテナと、前記アレイアンテナの指向性を制御するための複数の受信用ウェイトを算出するウェイト算出部と、前記アレイアンテナを構成する複数のアンテナ素子でそれぞれ受信された複数の受信信号に対して前記複数の受信用ウェイトをそれぞれ乗算し、当該複数の受信用ウェイトがそれぞれ乗算された当該複数の受信信号を加算して希望信号を取得するアレイ合成処理を行うアレイ合成処理部と、前記希望信号に対して等化処理を行うイコライザと、前記等化処理が行われた前記希望信号に対して、前記等化処理及び前記アレイ合成処理が当該希望信号の振幅成分に与えた影響を除去する補正を行う振幅補正部と、前記振幅補正部で補正された前記希望信号に対して軟判定を行う軟判定部と、前記軟判定部での軟判定結果に基づいて誤り訂正復号を行う誤り訂正復号部とを備える。
【００１０】
また、本発明に係る受信装置の一態様では、前記イコライザ及び前記振幅補正部での処理の有効桁数は、互いに同じであり、かつ前記軟判定部での処理の有効桁数よりも大きい。
【００１１】
また、本発明に係る軟判定誤り訂正復号方法は、（ａ）アレイアンテナの指向性を制御するための複数の受信用ウェイトを算出する工程と、（ｂ）前記アレイアンテナを構成する複数のアンテナ素子でそれぞれ受信された複数の受信信号に対して前記複数の受信用ウェイトをそれぞれ乗算し、当該複数の受信用ウェイトがそれぞれ乗算された当該複数の受信信号を加算して希望信号を取得するアレイ合成処理を行う工程と、（ｃ）前記希望信号に対して等化処理を行う工程と、（ｄ）前記等化処理が行われた前記希望信号に対して、前記等化処理及び前記アレイ合成処理が当該希望信号の振幅成分に与えた影響を除去する補正を行う工程と、（ｅ）前記工程（ｄ）で補正された前記希望信号に対して軟判定を行う工程と、（ｆ）前記工程（ｅ）での軟判定結果に基づいて誤り訂正復号を行う工程とを備える。
【発明の効果】
【００１２】
本発明によれば、等化処理が振幅成分に与える影響を除去する補正だけではなく、アレイ合成処理が振幅成分に与える影響を除去する補正が行われた希望信号に対して軟判定が行われるため、振幅成分に関してアレイアンテナで受信された状態に近い希望信号に対して軟判定を行うことができる。よって、軟判定誤り訂正復号の精度を向上することができる。
【００１３】
また、本発明の一態様によれば、イコライザ及び振幅補正部での処理の有効桁数が、互いに同じであるため、振幅補正部では、イコライザで等化処理が行われた希望シンボルを補正する際に有効桁数を減少させる必要は無く、丸め誤差を抑制できる。さらに、イコライザ及び振幅補正部での処理の有効桁数が大きいため、振幅補正部では、イコライザで等化処理が行われた希望シンボルを補正する際にオーバーフローによる誤差が発生することを抑制できる。よって、軟判定誤り訂正復号の精度をさらに向上できる。
【図面の簡単な説明】
【００１４】
【図１】本発明の実施の形態に係る通信装置の構成を示す図である。
【図２】本発明の実施の形態に係るデジタル部の構成を示す図である。
【図３】本発明の実施の形態に係るデータ処理部の構成を示す図である。
【発明を実施するための形態】
【００１５】
図１は本発明の実施の形態に係る通信装置１の構成を示す図である。通信装置１は、例えば、上述の非特許文献１に規定されている次世代ＰＨＳに準拠した基地局であって、ＯＦＤＭＡ方式で複数の通信端末（図示せず）と双方向の無線通信を行う。通信装置１は、時間軸と周波数軸とからなる２次元で特定される無線リソースを複数の通信端末のそれぞれに個別に割り当てることによって、当該複数の通信端末と同時に通信することが可能となっている。また、通信装置１は、送受信アンテナとしてアレイアンテナを有し、アダプティブアレイアンテナ方式を用いてアレイアンテナの指向性を希望波に向けることが可能である。
【００１６】
図１に示されるように、通信装置１は、複数のアンテナ素子２ａで構成されたアレイアンテナ２と、複数の無線通信部３と、複数のＡ／Ｄ変換器４と、複数のＤ／Ａ変換器５と、デジタル部６とを備えている。
【００１７】
複数の無線通信部３は複数のアンテナ素子２ａにそれぞれ接続されている。各無線通信部３は、自身に接続されたアンテナ素子２ａで受信された受信信号に対して増幅処理及びダウンコンバートを行って、当該受信信号を受信ベースバンド信号に変換して出力する。また、各無線通信部３は、入力される送信ベースバンド信号に対してアップコンバート及び増幅処理を行って、当該送信ベースバンド信号を搬送帯域のＯＦＤＭ信号に変換する。そして、各無線通信部３は、生成したＯＦＤＭ信号を、自身に接続されているアンテナ素子２ａに入力する。これにより、各アンテナ素子２ａからは、搬送帯域のＯＦＤＭ信号が無線信号となって送信される。
【００１８】
複数のＡ／Ｄ変換器４は、複数の無線通信部３にそれぞれ接続されている。各Ａ／Ｄ変換器４は、自身に接続されている無線通信部３から出力されるアナログ形式の受信ベースバンド信号をデジタル形式の受信ベースバンド信号に変換してデジタル部６に出力する。
【００１９】
複数のＤ／Ａ変換器５は、複数の無線通信部３にそれぞれ接続されている。各Ｄ／Ａ変換器５は、デジタル部６で生成されたデジタル形式の送信ベースバンド信号をアナログ形式の送信ベースバンド信号に変換する。そして、各Ｄ／Ａ変換器５は、生成したアナログ形式の送信ベースバンド信号を、自身に接続されている無線通信部３に出力する。
【００２０】
図２はデジタル部６の構成を示す図である。図２に示されるように、デジタル部６は、複数のデジタルフィルタ６０と、複数のデジタルフィルタ６１と、複数のＦＦＴ処理部６２と、複数のＩＦＦＴ処理部６３と、受信用ウェイト処理部６４と、送信用ウェイト処理部６５と、データ処理部６６とを備えている。
【００２１】
複数のデジタルフィルタ６０は、複数のＡ／Ｄ変換器４から出力される受信ベースバンド信号がそれぞれ入力される。各デジタルフィルタ６０は、入力された受信ベースバンド信号に対して所定のフィルタリング処理を実行して、処理後の当該受信ベースバンド信号を出力する。
【００２２】
複数のＦＦＴ処理部６２は、複数のデジタルフィルタ６０から出力される受信ベースバンド信号がそれぞれ入力される。各ＦＦＴ処理部６２は、入力される受信ベースバンド信号に対してＦＦＴ（Fast Fourier Transform）処理を行う。これにより、各ＦＦＴ処理部６２では、受信ベースバンド信号に含まれる複数のサブキャリアをそれぞれ変調する複数の複素シンボルが得られる。各アンテナ素子２ａでは、通信対象の通信端末からの信号（希望波）だけではなく、通信対象ではない通信端末からの信号（干渉波）も受信されるため、ＦＴＴ処理部６２で得られる複素シンボルには、希望成分以外にも干渉成分が含まれている。以後、各ＦＦＴ処理部６２で得られる複数の複素シンボルを「復調シンボル列」と呼ぶことがある。
【００２３】
受信用ウェイト処理部６４は、複数のＦＦＴ処理部６２で得られた複数の復調シンボル列のそれぞれについて、当該復調シンボル列を構成する複数の複素シンボルにそれぞれ乗算する複数の受信用ウェイトを算出する。受信用ウェイトは、通信端末から送信されるＯＦＤＭ信号に含まれるサブキャリアを変調する既知の複素シンボルに基づいて算出することができる。
【００２４】
ここで、次世代ＰＨＳでは、基地局と通信端末との通信はＰＲＵ（Physical Resourse Unit）単位で行われる。例えば、基地局では、通信端末に対する無線リソースの割り当てはＰＲＵ単位で行われ、通信端末に送信データを送信する際に使用する変調方式はＰＲＵごとに決定される。１つのＰＲＵは、帯域幅が９００ｋＨｚの１つのサブチャネルと、時間幅が６２５μｓの１つのスロットとで表現される。１つのサブチャネルは２４個のサブキャリアで構成されている。
【００２５】
受信用ウェイト処理部６４は、２４個のサブキャリアを複数のグループに分割し、各グループごとに受信用ウェイトを算出する。具体的には、２４個のサブキャリアの周波数を小さいものから順にそれぞれＦ１〜Ｆ２４とすると、受信用ウェイト処理部６４は、例えば、２４個のサブキャリアを、周波数Ｆ１〜Ｆ６のサブキャリアから成るグループと、周波数Ｆ７〜Ｆ１２のサブキャリアから成るグループと、周波数Ｆ１３〜Ｆ１８のサブキャリアから成るグループと、周波数Ｆ１９〜Ｆ２４のサブキャリアから成るグループとに分割する。そして、受信用ウェイト処理部６４は、各グループごとに受信用ウェイトを算出する。したがって、１つのアンテナ素子２ａで受信された受信信号についての受信ベースバンド信号に含まれる、同一グループ内の各サブキャリアについての受信用ウェイトは同一となる。
【００２６】
受信用ウェイト処理部６４は、複数の復調シンボル列のそれぞれについて、当該復調シンボル列を構成する複数の複素シンボルのそれぞれに対して、対応する受信用ウェイトを乗算する。そして、受信用ウェイト処理部６４は、複数の復調シンボル列に含まれる、同一のサブキャリアについての受信用ウェイト乗算後の複数の複素シンボルを加算する。これにより、アレイアンテナ２の指向性が１つのサブキャリアに向けられるようになり、当該１つのサブキャリアについての希望シンボルを取得することができる。つまり、複数の復調シンボル列に含まれる、同一のサブキャリアについての受信用ウェイト乗算後の複数の複素シンボルを足し合わせて得られる新たな複素シンボルでは、干渉成分が除去されており、当該新たな複素シンボルが希望シンボルとして取得される。受信用ウェイト処理部６４は、ＯＦＤＭ信号を構成する複数のサブキャリアのそれぞれについて希望シンボルを取得してデータ処理部６６に出力する。
【００２７】
このように、受信用ウェイト処理部６４では、アレイアンテナ２を構成する複数のアンテナ素子２ａでそれぞれ受信された複数の複素シンボルに対して複数の受信用ウェイトがそれぞれ乗算され、当該複数の受信用ウェイトがそれぞれ乗算された当該複数の複素シンボルが加算されて希望シンボルが取得されるアレイ合成処理が行われる。
【００２８】
図３はデータ処理部６６における受信系の構成を示す図である。図３に示されるように、データ処理部６６は、シンボル補正部６６０と、軟判定部６６４と、誤り訂正復号部６６５とを備えている。シンボル補正部６６０は、チャネル推定部６６１と、イコライザ６６２と、振幅補正部６６３とを有している。
【００２９】
チャネル推定部６６１は、受信用ウェイト処理部６４から出力される、既知の希望シンボルに基づいて伝送路特性を推定する。イコライザ６６２は、チャネル推定部６６１での推定結果に基づいて、受信用ウェイト処理部６４から出力される希望シンボルに対して等化処理を行う。これにより、希望シンボルから伝送路特性による歪みが除去される。振幅補正部６６３は、イコライザ６６２で等化処理された希望シンボルについて、位相成分をそのままにして振幅成分だけを補正する。
【００３０】
軟判定部６６４は、振幅補正部６６３で補正された希望シンボルに対して軟判定を行って、当該希望シンボルについての尤度（確からしさ）を求める。軟判定部６６４では、１つの希望シンボルに関して、それに対応するビットデータの各ビットについて尤度が求められる。例えば、通信端末での変調方式として、１シンボルで１ビットデータを送信するＢＰＳＫ（Binary Phase Shift Keying）が採用されている場合には、１つの希望シンボルについて１つの尤度が求められる。また、通信端末での変調方式として、１シンボルで２ビットデータを送信するＱＰＳＫ（Quadrature Phase Shift Keying）が採用されている場合には、１つの希望シンボルについて２つの尤度が求められる。また、通信端末での変調方式として、１シンボルで３ビットデータを送信する８ＰＳＫ（Phase Shift Keying）が採用されている場合には、１つの希望シンボルについて３つの尤度が求められる。
【００３１】
誤り訂正復号部６６５は、サブキャリアごとに、時系列順に並べられた複数の希望シンボルについての尤度に基づいて誤り訂正復号を行う。本実施の形態では、例えば、通信端末から送信されるビットデータは例えば畳み込み符号化されており、誤り訂正復号部６６５はビタビ復号を行う。これにより、データ処理部６６では通信端末から送信されたビットデータが再生される。
【００３２】
また、データ処理部６６は、通信端末に向けての送信データを生成し、生成した送信データに対応する複数の複素シンボルを生成する。データ処理部６６は、生成した複数の複素シンボルに対して畳み込み符号化処理やスクランブル処理等を行って送信用ウェイト処理部６５に入力する。以後、送信用ウェイト処理部６５に入力される複数の複素シンボルを「変調シンボル列」と呼ぶ。
【００３３】
送信用ウェイト処理部６５は、入力された変調シンボル列をアンテナ素子２ａの数だけ準備する。そして、送信用ウェイト処理部６５は、複数の変調シンボル列のそれぞれについて、当該変調シンボル列を構成する複数の複素シンボルに対してそれぞれ乗算する複数の送信用ウェイトを算出する。送信用ウェイトは、受信用ウェイト処理部６４で算出された受信用ウェイトに基づいて算出することができる。
【００３４】
送信用ウェイト処理部６５は、複数の変調シンボル列のそれぞれについて、当該変調シンボル列を構成する複数の複素シンボルのそれぞれに対して、対応する送信用ウェイトを乗算する。その後、送信用ウェイト処理部６５は、送信用ウェイト乗算後の複数の変調シンボル列を、複数のＩＦＦＴ処理部６３にそれぞれ入力する。
【００３５】
各ＩＦＦＴ処理部６３は、入力された変調シンボル列を構成する複数の複素シンボルに対してＩＦＦＴ（Inverse FFT）処理を行って、当該複数の複素シンボルで変調された複数のサブキャリアが合成された送信ベースバンド信号を出力する。
【００３６】
複数のデジタルフィルタ６１には、複数のＩＦＦＴ処理部６３から出力される複数の送信ベースバンド信号がそれぞれ入力される。各デジタルフィルタ６１は、入力された送信ベースバンド信号に対して所定のフィルタリング処理を実行して、処理後の当該送信ベースバンド信号を出力する。複数のデジタルフィルタ６１から出力される複数の送信ベースバンド信号は、複数のＤ／Ａ変換器５にそれぞれ入力される。
【００３７】
＜シンボル補正部の詳細説明＞
次に、シンボル補正部６６０の動作について詳細に説明する。以下の説明では、通信装置１には、４つのアンテナ素子２ａ、つまり第１〜第４のアンテナ素子２ａが設けられているものとする。
【００３８】
通信対象の通信端末から送信される希望シンボル、つまり、当該通信端末から送信されるサブキャリアを変調する希望シンボルをＳとし、当該通信端末と第１〜第４のアンテナ素子２ａとの間の伝送路特性をそれぞれＨ１〜Ｈ４の複素数で表現すると、第１〜第４のアンテナ素子２ａでそれぞれ受信される４つの受信信号Ｒ１〜Ｒ４は、以下の式（１）〜（４）で表される。
【００３９】
【数１】
2011024160.tif 000003
【００４０】
そして、第１〜第４のアンテナ素子２ａにそれぞれ対応する４つの受信用ウェイトをそれぞれＷ１〜Ｗ４の複素数で表現し、受信用ウェイト処理部６４で取得される希望シンボルをＳ１とすると、Ｓ１は以下の式（５）で表される。
【００４１】
【数２】
2011024160.tif 000004
【００４２】
式（５）に示されるように、受信用ウェイト処理部６４では、伝送路特性Ｈ１〜Ｈ４及び受信用ウェイトＷ１〜Ｗ４の影響を受けた希望シンボルが取得される。
【００４３】
ここで、式（５）において希望シンボルに乗算されている（Ｈ１・Ｗ１＋Ｈ２・Ｗ２＋Ｈ３・Ｗ３＋Ｈ４・Ｗ４）は、アレイアンテナ２を、指向性が制御されない通常の１つのアンテナと見た際の、当該アンテナと通信対象の通信端末との間の伝送路特性Ｈと考えることができる。そこで、式（５）を以下の式（６）で書き直す。
【００４４】
【数３】
2011024160.tif 000005
【００４５】
チャネル推定部６６１は、通信対象の通信端末から送信される、パイロットシンボル等の既知の希望シンボルに基づいて、伝送路特性Ｈの推定値Ｈｅを求める。
【００４６】
イコライザ６６２は、チャネル推定部６６１で取得された推定値Ｈｅを用いて、受信用ウェイト処理部６４で取得された希望シンボルに対して等化処理を行う。この等化処理後の希望シンボルをＳ２とすると、Ｓ２は以下の式（７）で表される。
【００４７】
【数４】
2011024160.tif 000006
【００４８】
このように、イコライザ６６２では、受信用ウェイト処理部６４で取得された希望シンボルが、伝送路特性Ｈの推定値Ｈｅで複素除算される。これにより、受信用ウェイト処理部６４で取得された希望シンボルの位相成分及び振幅成分が補正されて、当該希望シンボルから伝送路特性Ｈによる歪みが除去される。言い換えれば、当該希望シンボルから伝送路特性Ｈ１〜Ｈ４及び受信用ウェイトＷ１〜Ｗ４による歪みが除去される。等化処理においては、受信用ウェイト処理部６４で取得された希望シンボルの振幅成分は正規化されて、当該希望シンボルの振幅成分（大きさ）は“１”となる。つまり、複素シンボルＳ２の振幅成分が“１”となる。
【００４９】
振幅補正部６６３は、イコライザ６６２で等化処理された希望シンボルの振幅成分だけを補正する。振幅補正部６６３で補正された希望シンボルをＳ３とすると、Ｓ３は以下の式（８）で表される。
【００５０】
【数５】
2011024160.tif 000007
【００５１】
式（８）に示されるように、振幅補正部６６３では、等化処理が行われた希望シンボル、つまり伝送路特性Ｈの推定値Ｈｅで複素除算された希望シンボルに対して、当該推定値Ｈｅの絶対値（大きさ）が乗算される。これにより、イコライザ６６２での等化処理が希望シンボルの振幅成分に与えた影響を除去することができる。その結果、振幅成分だけを見れば、希望シンボルを式（５）の状態、つまり等化処理前の状態に戻すことができる。
【００５２】
さらに、振幅補正部６６３では、推定値Ｈｅの絶対値が乗算された希望シンボルに対して、受信用ウェイトＷ１〜Ｗ４の絶対値（大きさ）の総和が除算される。これにより、受信用ウェイト処理部６４でのアレイ合成処理が希望シンボルの振幅成分に与えた影響を除去することができる。その結果、振幅成分だけを見れば伝送路特性Ｈ１〜Ｈ４の影響だけを受けた希望シンボル、言い換えれば、振幅成分に関してアレイアンテナ２で受信された状態に近い希望シンボルを得ることができる。
【００５３】
軟判定部６６４は、式（８）で示される希望シンボル（Ｓ３）に対して軟判定を行って、当該希望シンボルについての尤度を求める。
【００５４】
このように、本実施の形態では、等化処理が振幅成分に与える影響を除去する補正だけではなく、アレイ合成処理が振幅成分に与える影響を除去する補正が行われた希望シンボルに対して軟判定が行われるため、振幅成分に関してアレイアンテナ２で受信された状態に近い希望シンボルに対して軟判定を行うことができる。よって、軟判定誤り訂正復号の精度を向上することができる。
【００５５】
なお、本実施の形態では、イコライザ６６２及び振幅補正部６６３での処理の有効桁数（有効ビット数）は、互いに同じであり、かつ軟判定部６６４での処理の有効桁数よりも大きくなっている。例えば、イコライザ６６２の処理の有効桁数は１６ビットであり、イコライザ６６２において等化処理が行われた希望シンボルのＩ成分（実部）及びＱ成分（虚部）のそれぞれは１６ビットで表現される。また、振幅補正部６６３での処理の有効桁数は１６ビットであり、式（８）中の推定値Ｈｅの絶対値は１６ビットで表現され、受信用ウェイトＷ１〜Ｗ４の絶対値の総和は１６ビットで表現される。そして、軟判定部６６４での処理の有効桁数は８ビットであって、軟判定部６６４で得られる尤度は８ビットで表現される。
【００５６】
このように、イコライザ６６２及び振幅補正部６６３での処理の有効桁数が互いに同じに設定されているため、振幅補正部６６３では、イコライザ６６２で等化処理が行われた希望シンボルを補正する際に、有効桁数を減少させる必要は無く、丸め誤差を抑制できる。さらに、イコライザ６６２及び振幅補正部６６３での処理の有効桁数が大きいため、振幅補正部６６３では、イコライザ６６２で等化処理が行われた希望シンボルを補正する際に、オーバーフローによる誤差が発生することを抑制できる。よって、軟判定誤り訂正復号の精度をさらに向上できる。
【符号の説明】
【００５７】
１  通信装置
２  アレイアンテナ
２ａ  アンテナ素子
６４  受信用ウェイト処理部
６６２  イコライザ
６６３  振幅補正部
６６４  軟判定部
６６５  誤り訂正復号部
【図１】
2011024160.tif 000008
【図２】
2011024160.tif 000009
【図３】
2011024160.tif 000010